(57)【要約】      （修正有）【課題】節水および節電の目的を達成し、更に男女が使用する姿勢の両用を兼ね、且つ、臭気が外に出て悪臭を放つのを防止し、女性が用を足した後に改めてスイッチを押して尿液を流す必要がなく、省エネおよび使用効果に符合する男女両用の小便器構造を提供する。【解決手段】男女両用の小便器構造は、横式小便部１２および縦式小便部１５が相対して構成される本体１０を含む。排液端の底部にＳ字型湾曲管を有する縦樋管路１９を設ける構造で、センサースイッチが、本体の予定位置、または周り側面の適する位置に設置され、センサースイッチは縦式小便部および横式小便部に各所設置したシャワー部材２１の出水を開閉する。シャワー洗浄が大幅にトイレの水使用量を大幅に減らす以外に、尿液を流す時の便器の水洗量が僅か３００〜５００ミリグラムである。【選択図】図１
0003234640.tif 000002
【実用新案登録請求の範囲】
【請求項１】
男女両用の小便器構造において、
本体は、横式小便部および縦式小便部を含み相対して構成され、
前記横式小便部の最上縁は上環状部が成形され、且つ、前記横座式小便部の内部には排液部が成形され、前記上環状部の前記排液部の周辺縁に相対する位置には少なくとも一つのシャワー部材が設けられ、前記排液部の前記横式小便部に相対する底部には排液端が設けられ、前記排液端底部には縦樋管路が設けられ、前記縦樋管路は第一直管部を含み、前記第一直管部の底端はＳ字型湾曲管に連通して設置され、且つ、前記Ｓ字型湾曲管の別端は第二直管部に連通して設置され、
前記縦式小便部は、前記横式小便部の一側に縦方向に連結され、その内部は横式小便部の前記排液部に連通する集液槽を形成し、前記縦式小便部の最上縁の前記集液槽に対応する位置にも少なくとも一つのシャワー部材が設けられ、
洗浄水管路が、前記横式小便部および前記縦式小便部の内部の適する位置に埋設され、前記縦式小便部および前記横式小便部の各所に設置されるシャワー部材を電気連接し、前記洗浄水管路最上端の適する位置には洗浄装置の出水管が連通され、
センサースイッチが、前記本体の予定位置、または周り側面の適する位置に設置され、前記センサースイッチは前記縦式小便部および前記横式小便部に各所設置したシャワー部材の出水を開閉することを特徴とする男女両用の小便器構造。
【請求項２】
前記センサースイッチは赤外線センサー式であることを特徴とする請求項１に記載の男女両用の小便器構造。
【請求項３】
前記縦式小便部の外縁には円弧周辺縁が成形され、前記円弧周辺縁は最上部に成形する最上円弧縁、前記最上円弧縁の両側に対称成形された側面円弧縁を含むことを特徴とする請求項１に記載の男女両用の小便器構造。
【請求項４】
前記横式小便部の前記上環状部の最上部には便座が設けられ、前記便座一側の前記上環状部に対応する一側端には少なくとも二つの枢設回転軸が設けられることを特徴とする請求項１に記載の男女両用の小便器構造。
【請求項５】
前記縦式小便部の内側面には複数のネジ止め部が設けられ、前記縦式小便部一側を支持して壁面に固定することを特徴とする請求項１に記載の男女両用の小便器構造。
【請求項６】
前記シャワー部材の一端には組立部が設けられ、前記組立部の内部には引水孔が穿設され、前記引水孔の別端にはノズル部が設けられ、前記シャワー部材一端の前記ノズル部に対応する位置には垂直シャワーガイド斜面が成形され、前記垂直シャワーガイド斜面と前記ノズル部は相互に垂直反射して向かい合うことを特徴とする請求項１に記載の男女両用の小便器構造。
【考案の詳細な説明】
【技術分野】
【０００１】
本考案は、男女両用の小便器構造に関するもので、特に男女の姿勢どちらにも適用する小便器構造に係る。
【背景技術】
【０００２】
現在、世界的な気候変動および人類の大規模開発と消費のもと、限られた水資源は日々減少している。そのため、各国ともに節水を呼びかけており、更に多くの節水できる新商品が発売されている。日常使用する便器では、二段式水供給構造が開発されており、それは主に大便には６リットルの水を使用し、小便には３リットルの水を使用するよう区別している。使用者は流したい水量を選ぶことで、節水の目的を達成する。しかしながら、この種の構造のトイレ水洗設備はすでに一般に受け入れられており、且つ節水効果を有しているが、多くの使用上の欠点がある。以下に列挙すると、その一は、一般に小便時の水洗量を３リットルとして、現在の男性用小便器の一回の水洗量は約１〜２リットルと比較すると、やはり大量に水を使用をしており、小便水洗用水の使用量はまだ改善の余地が有る。その二は、二段式加圧給水構造は長期の使用で故障を起こしやすく且つ接触に依る病原菌およびウイルスが増えやすい。拠って使用が面倒なことから、使用者は専用スイッチ構造を交換しなけれればならなくなるが、トイレの型番は古くなると部品が生産を停止したり、規格に合わなくなる状況が発生し、新しいトイレに交換しなければならなくなる。拠って改善の必要がある。その三は、公知の構造は、小便後即座に押圧して水洗するが、前の使用者の尿液または細菌を不注意で手につけてしまったり、または尿液または細菌を押圧スイッチ上に直接残し、衛生およびその他疾病の伝染を起こしやすくなる。その四は、公知の男性用小便器構造の排液孔底部管路は直管構造であるため、臭気が内から外に向けて逆流し、室内に悪臭を放ちやすい。
【０００３】
以上の現象から、本考案者は長年の経験にもとづき、欠点を改善する最良の実用考案を提出する。
【考案の概要】
【考案が解決しようとする課題】
【０００４】
本考案の主な目的として、男女両用の小便器構造を提供する。解決する際の問題点は、既存のオフィスビル、科学技術工房および人が多い公共の場でのトイレでの小便使用であり、且つ以上の場所の給水方式はポンプで水を最上階へ送り、次に配管方式で水を各トイレタンクに送って使用する。給水過程において必要な電力は用を足すごとに電気が必要で、小便は回数が多いため、仮に現在のトイレの設計および水洗量を考慮すると、水や電力の浪費が大きい。公知のトイレ構造は小便時の洗浄が理想的でないため、小便器構造の排液孔底部の管路構造を改善し、臭気を外から内に戻して悪臭を放つ問題点を解決する必要があり、グリーンエネルギー、環境保護および節水の実用的進歩性を備えた革新的構造設計を達成する必要がある。
【課題を解決するための手段】
【０００５】
上述の問題を改善するため、主に横式小便部および縦式小便部が相対して構成される本体を含む。そのうち該横式小便部最上縁は上環状部を成形し、且つ該横座式小便座の内部には排液部を形成し、該上環状部の該排液部の周辺縁に相対する位置は少なくとも一つのシャワー部材を設ける。該排液部の該横式小便部に相対する底部には排液端を設け、該排液端底部には縦樋管路を設ける。そのうち該縦樋管路は第一直管部を含み、該第一直管部底端はＳ字型湾曲管が連通して設置され、且つ該Ｓ字型湾曲管の別端は第二直管部に連通して設置される。該縦式小便部は、該横式小便部の一側に縦方向に連結し、その内部は横式小便部の該排液部に連通する集液槽を形成し、該縦式小便部の最上縁の該集液槽に対応する位置に少なくとも一つのシャワー部材を設ける。洗浄水管路は、該横式小便部および該縦式小便部内部の適する位置に埋設し、該縦式小便部および該横式小便部の各所に設置するシャワー部材を電気連接し、該洗浄水管路最上端の適する位置には洗浄装置の出水管を連通する。センサースイッチは、該本体予定位置、または周り側面の適する位置に設置され、該センサースイッチは該縦式小便部および該横式小便部に各所設置したシャワー部材の出水を開閉する。
【考案の効果】
【０００６】
本考案の男女両用の小便器構造は、シャワー洗浄でトイレを洗浄する水使用量を大幅に減らす以外に、尿液を流す便器の水洗量は僅かに３００〜５００ミリグラムで済み、公知のトイレが小便時にタンクの３０００〜６０００ミリリットル水量を消費して尿液を流す方式を改める。それらにより、節水および節電の目的を達成し、更に男女が使用する姿勢の両用を兼ねる。更に該排液端の底部にＳ字型湾曲管を有する縦樋管路を設ける構造設計により、臭気が排液端から外に出て悪臭を放つのを防止し、センサースイッチにより、女性が用を足した後に改めてスイッチを押して尿液を流す必要がなく、本考案は省エネおよび使用効果に符合する。
【図面の簡単な説明】
【０００７】
【図１】本考案の男女両用の小便器構造の立体図である。
【図２】本考案の男女両用の小便器構造の前面図である。
【図３】本考案の男女両用の小便器構造の洗浄水管路指示図である。
【図４】本考案の男女両用の小便器構造の断面図である。
【考案を実施するための形態】
【実施例】
【０００８】
本考案を更に一歩深く理解するため、好ましい実施例を示し、図式と共に詳述する。図１〜４に示すとおり、本考案の男女両用の小便器構造は以下を含む。
【０００９】
本体１０は、横式小便部１２および縦式小便部１５を含み、それらが相対して構成される。該横式小便部１２は女性使用者が座位方式で小便使用し、且つ該縦式小便部１５は男性使用者が立位方式で小便使用する。
【００１０】
該横式小便部１２の最上縁は上環状部１２１を成形し、且つ該横座式小便座内部は排液部１４を形成する。該上環状部１２１の該排液部１４に対応する周辺縁の相対位置には少なくとも一つのシャワー部材２１を設け、該排液部１４の該横式小便部１２に対応する底部には排液端１７を設け、該排液端１７の底部には縦樋管路１９を設ける。そのうち該縦樋管路１９は第一直管部１９１を含み、該第一直管部１９１の底端はＳ字型湾曲管１９２に連通設置し、且つ該Ｓ字型湾曲管１９２の別端は第二直管部１９３に連通して設置する。該縦式小便部１５の内側面には複数のネジ止め部１１を設け、該縦式小便部１５一側を予め壁面に固定する。
【００１１】
該縦式小便部１５は該横式小便部１２の一側に縦式で連結し、その内部は該横式小便部１２の該排液部１４に連通する集液槽１６が成形され、該縦式小便部１５最上縁の該集液槽１６に対応する相対位置は、少なくとも一つのシャワー部材２１を設ける。
【００１２】
洗浄水管路２３は、該横式小便部１２および該縦式小便部１５内部の適する位置に埋設し、縦式小便部１５および該横式小便部１２各々に設置したシャワー部材２１に接続連通し、該洗浄水管路２３最上端の適する位置には洗浄装置２４の出水管２５を連通させ、そのうち該洗浄装置２４の予定位置には入水管２２を設ける。
【００１３】
センサースイッチ２０は、回路２６を通じて洗浄装置２４に連接され、該本体１０予定位置、または周り側面の適する位置に設置する。該センサースイッチ２０は回路２６を通じて該洗浄装置２４に電気連接し、該洗浄装置２４が該縦式小便部１５および該横式小便部１２各所に設置したシャワー部材２１からの出水を開閉制御する。
【００１４】
好ましくは、そのうち該センサースイッチ２０は赤外線センサー式である。
【００１５】
好ましくは、そのうち該縦式小便部１５外縁には円弧周辺縁１８を成形し、該円弧周辺縁１８は最上部に成形する最上円弧縁１８１、および該最上円弧縁１８１の両側に対称成形する側面円弧縁１８２を含む。該縦式小便部１５は該円弧周辺縁１８によって本体１０外部体積を縮小するので場所を取らず、且つ円弧周辺縁１８が尿液の給水速度を高める。
【００１６】
好ましくは、そのうち該横式小便部１２の該上環状部１２１最上部には便座１３を設け、該便座１３一側の該上環状部１２１に対応する側端には少なくとも二つの枢設回転軸１３１を設け、該便座１３は該二つの枢設回転軸１３１で自在に上げられる。
【００１７】
好ましくは、そのうち該シャワー部材２１一端には組立部２１１を設け、該組立部２１１は該洗浄装置２４に固定組立するための出水管２５に用いられ、該組立部２１１内部には引水孔２１２を穿設し、該引水孔２１２の別端にはノズル部２１３を設ける。該シャワー部材２１一端の該ノズル部２１３に対応する位置には垂直シャワーガイド斜面２１４が設けられ、該垂直シャワーガイド斜面２１４と該ノズル部２１３は互いに垂直反射して向かい合い、シャワー水を集液槽１６内壁面に垂直に噴射する。
【００１８】
本考案の男女両用の小便器構造により、シャワー洗浄により、トイレの洗浄水使用量を大幅に減少させる他に、尿液洗浄時の便器の水洗量は僅かに需３００〜５００ミリグラムで済み、公知トイレが小便時にタンク３０００〜６０００ミリリットルの水量を消費して尿液を洗浄する方式を変え、節水および節電的目的を達成する。更に男女の使用姿勢両用構造を兼ね、且つ該排液端１７底部にＳ字型湾曲管を有する縦樋管路設置構造設計により、排液端１７から外に放つ悪臭を防止する。またセンサースイッチ２０により、女性が用を足した後再び押圧スイッチを押して尿液を流す必要がないため、本考案は省エネおよび使用効果を有する考案にに符合する。
【００１９】
本考案は、実用性および進歩性を有する設計であり、同様の製品および刊行物において未見であるため、実用新案登録に申請する。
【符号の説明】
【００２０】
１０        本体
１１        ネジ止め部
１２        横式小便部
１２１      上環状部
１３        便座
１３１      枢設回転軸
１４        排液部
１５        縦式小便部
１６        集液槽
１７        排液端
１８        円弧周辺縁
１８１      最上円弧縁
１８２      側面円弧縁
１９        縦樋管路
１９１      第一直管部
１９２      Ｓ字型湾曲管
１９３      第二直管部
２０        センサースイッチ
２１        シャワー部材
２１１      組立部
２１２      引水孔
２１３      ノズル部
２１４      垂直シャワーガイド斜面
２２        入水管
２３        洗浄水管路
２４        洗浄装置
２５        出水管
２６        回路
【図１】
0003234640.tif 000003
【図２】
0003234640.tif 000004
【図３】
0003234640.tif 000005
【図４】
0003234640.tif 000006